(57)【要約】【課題】子機端末のアドレスが親機端末で自動的に割り当てられる構成を採用しながらも、グループやシーンの設定が容易な負荷制御システムを提供する。【解決手段】親機端末Ａのグループ制御手段１３は、同一のグループ番号に対応付けられた照明負荷Ｌを同一のグループとし、負荷制御部３に照明負荷Ｌをグループ単位で制御させる。子機端末Ｂは、各照明負荷Ｌに設定されたアドレスごとにユーザの操作に従ってグループ番号を設定するグループ設定手段５を有する。親機端末ＡのＣＰＵ１２は、グループ設定手段５で設定されたグループ番号をアドレスと共に子機端末Ｂから収集し当該アドレスに対応付けて親機メモリ９に記憶することにより、グループ番号に照明負荷Ｌを対応付けるグループ情報テーブルを親機メモリ９に構築するグループ構築手段１４としての機能を有する。【選択図】図１
2008109514.tif 000002
【特許請求の範囲】
【請求項１】
負荷を制御する負荷制御部および負荷回路ごとに設定されたアドレスを記憶する子機メモリを有した子機端末と、アドレスを記憶する親機メモリを有するとともに親機アドレスが設定された１台の親機端末とが信号線に接続され、子機端末および親機端末が、送信元のアドレスと送信先のアドレスとを含む通信フレームを信号線上に送出することにより通信を行う通信部をそれぞれ有し、同一のグループ識別子に対応付けられる複数の負荷回路の組み合わせを同一のグループとしグループ識別子を指定することによりグループ単位で負荷を制御するグループ制御が可能な負荷制御システムであって、子機端末は、負荷回路ごとにグループ識別子を設定するグループ設定手段を有し、親機端末は、子機端末からの要求を受けてアドレスを当該子機端末の子機メモリおよび親機メモリに自動で設定するアドレス設定手段と、グループ設定手段で設定されたグループ識別子を子機メモリ内のアドレスと共に子機端末から収集し当該アドレスに対応付けて親機メモリに記憶することにより、グループ識別子に負荷回路を対応付けるグループ情報テーブルを親機メモリに構築するグループ構築手段とを有することを特徴とする負荷制御システム。
【請求項２】
同一のシーン識別子に対応付けられる前記グループ識別子ごとの前記負荷の制御状態の組み合わせを同一のシーンとしシーン識別子を指定することにより当該シーン識別子に対応付けられた制御状態の組み合わせに従って負荷を制御するシーン制御が可能な負荷制御システムであって、前記親機端末は、任意のタイミングでグループ識別子ごとの負荷の制御状態の組み合わせを前記子機端末から収集しシーン識別子に対応付けて親機メモリに記憶することにより、シーン識別子に負荷の制御状態の組み合わせを対応付けるシーン情報テーブルを親機メモリに構築するシーン構築手段を有することを特徴とする請求項１記載の負荷制御システム。
【請求項３】
前記子機端末は、自己の前記負荷制御部で制御可能な前記負荷回路に対応する前記グループ識別子について前記シーン識別子ごとの制御状態をシーン情報として前記子機メモリに記憶しており、前記親機端末は、子機端末が入れ替えられた場合に、少なくとも入れ替わった子機端末に対して当該子機端末の負荷制御部で制御可能な負荷回路に対応するグループ識別子についてのシーン情報を通知することによりシーン情報を子機メモリに記憶させるシーン更新手段を有することを特徴とする請求項２記載の負荷制御システム。
【請求項４】
前記シーン更新手段は、前記子機端末のうち入れ替わった子機端末に対してのみ前記シーン情報を通知することを特徴とする請求項３記載の負荷制御システム。
【請求項５】
前記アドレス設定手段は、前記子機端末ごとに実装されている部品に固有の識別符号を子機端末から取得し、当該識別符号に基づいて前記アドレスを割り当てることを特徴とする請求項１ないし請求項４のいずれか１項に記載の負荷制御システム。
【請求項６】
前記子機端末は複数台設けられており、前記グループ構築手段で前記グループ識別子が収集される際に当該グループ識別子を含むグループ登録要求信号を信号線上に送出し、且つ、他の子機端末からのグループ登録要求信号内のグループ識別子と自己の前記負荷制御部で制御可能な前記負荷回路に対応するグループ識別子とが一致するとグループ識別子が一致する旨を通知するグループ通知部を有することを特徴とする請求項１ないし請求項５のいずれか１項に記載の負荷制御システム。
【請求項７】
前記親機端末は、前記グループ情報テーブルに記憶されている前記グループ識別子を表示する既存グループ表示部を有することを特徴とする請求項１ないし請求項６のいずれか１項に記載の負荷制御システム。
【発明の詳細な説明】
【技術分野】
【０００１】
本発明は、複数台の端末を用いて負荷を遠隔制御する負荷制御システムに関するものである。
【背景技術】
【０００２】
従来から、図１６に示すようにそれぞれ負荷Ｌ（たとえば照明負荷）が接続され当該負荷Ｌを制御する複数台の子機端末Ｂと、負荷Ｌが接続されていない複数台の子機端末Ｂ’とが、同一の信号線Ｃ上にバス接続された負荷制御システムが知られている。子機端末Ｂと子機端末Ｂ’とは各子機端末Ｂ，Ｂ’に固有の端末アドレスによって互いに対応付けられており、負荷Ｌが接続されている子機端末Ｂの操作、あるいはこの子機端末Ｂに対応付けられた子機端末Ｂ’の操作に従って当該負荷Ｌが制御される。
【０００３】
負荷Ｌが接続されていない子機端末Ｂ’の操作によって負荷Ｌを制御する際には、子機端末Ｂ’の操作に従って当該子機端末Ｂ’から信号線Ｃ上に送信元アドレス（自己の端末アドレス）と送信先アドレス（対応する子機端末Ｂの端末アドレス）と制御状態（たとえば負荷Ｌが照明負荷であれば、オンオフ、調光値など）とを含む通信フレームが送出される。送信先アドレスに指定された子機端末Ｂは通信フレームを受信し、通信フレームに含まれる制御状態に従って負荷Ｌの制御を行う。
【０００４】
ところで、子機端末Ｂ同士の対応付けは、一対一に限らず、一対多あるいは多対多であってもよい。ただし、通信フレームは１台の子機端末Ｂのアドレスを送信先アドレスとして送信されるので、複数台の子機端末Ｂに通信フレームを送信する場合には通信フレームを複数回送信する必要があり、１台の子機端末Ｂに通信フレームを送信する場合に比べて通信時間が長くなる。しかも、子機端末Ｂに送信先となる複数台の子機端末Ｂのアドレスを登録する必要があり、アドレスの設定が面倒である。
【０００５】
そこで、この種の負荷制御システムとして、上述のように負荷Ｌを個別に制御するだけでなく、複数の負荷Ｌを一斉に制御できるように、複数ずつにグループ分けされた負荷Ｌをグループ単位で一括して制御するグループ制御機能や、全ての負荷Ｌについてグループごとに予め設定された制御状態に一斉に制御するシーン制御機能などを備えたものが考えられている。
【０００６】
同じグループに属する負荷Ｌには同一のグループ番号（グループ識別子）が割り当てられており、グループ番号の割り当ては、所定のグループ番号に負荷Ｌの接続された子機端末Ｂのアドレスを対応付けることにより行われる。そのため、負荷制御システムには、グループ番号と子機端末Ｂのアドレスとの対応関係を記憶した情報テーブルを有し信号線Ｃに接続される親機端末Ａが設けられ、グループ制御やシーン制御を行う際には親機端末Ａの情報テーブルが参照される。
【０００７】
上述の負荷制御システムの構築時には以下の手順で設定が必要である。
【０００８】
すなわち、子機端末Ｂに設けられているディップスイッチでアドレスの設定を行い（手順１）、専用の設定端末を用いて各グループ番号にアドレスを対応付けることによりグループの設定を行い（手順２）、設定端末を用いて各グループ番号に制御状態を対応付けることによりシーンの設定を行う（手順３）。なお、手順１のアドレス設定が完了すれば、手順２，３を行わなくても負荷Ｌを個別に制御することは可能である。
【０００９】
しかし、手順１でユーザがアドレスの設定を間違えて複数台の子機端末Ｂでアドレスが重複してしまうと、負荷制御システムが不動作になる可能性がある。そこで、アドレスに関しては自動的に割り当てられる構成とすることにより、アドレス設定（手順１）の手間を省くとともに設定ミスを防止することが考えられている（たとえば特許文献１参照）。特許文献１の負荷制御システムでは、子機端末Ｂ（端末器）が、予め設定されている識別符号を電源投入時および指定時に親機端末Ａ（主装置）に送信し、親機端末Ａは、識別符号を受信すると、当該識別符号を持つ子機端末Ｂに対してアドレス（ブロック番号）を通知し、当該子機端末Ｂは受信したアドレスを記憶する。
【特許文献１】特開平１０−１９１４６６号公報（第５頁）
【発明の開示】
【発明が解決しようとする課題】
【００１０】
しかし、子機端末Ｂのアドレスが親機端末Ａで自動的に割り当てられると、ユーザは子機端末Ｂとアドレスとの対応関係が分かりにくく、上述した手順２，３におけるグループやシーンの設定が困難になり、負荷Ｌのレイアウト変更などに伴うグループやシーンの設定変更も困難である。
【００１１】
本発明は上記事由に鑑みて為されたものであって、子機端末のアドレスが親機端末で自動的に割り当てられる構成を採用しながらも、グループやシーンの設定が容易な負荷制御システムを提供することを目的とする。
【課題を解決するための手段】
【００１２】
請求項１の発明では、負荷を制御する負荷制御部および負荷回路ごとに設定されたアドレスを記憶する子機メモリを有した子機端末と、アドレスを記憶する親機メモリを有するとともに親機アドレスが設定された１台の親機端末とが信号線に接続され、子機端末および親機端末が、送信元のアドレスと送信先のアドレスとを含む通信フレームを信号線上に送出することにより通信を行う通信部をそれぞれ有し、同一のグループ識別子に対応付けられる複数の負荷回路の組み合わせを同一のグループとしグループ識別子を指定することによりグループ単位で負荷を制御するグループ制御が可能な負荷制御システムであって、子機端末は、負荷回路ごとにグループ識別子を設定するグループ設定手段を有し、親機端末は、子機端末からの要求を受けてアドレスを当該子機端末の子機メモリおよび親機メモリに自動で設定するアドレス設定手段と、グループ設定手段で設定されたグループ識別子を子機メモリ内のアドレスと共に子機端末から収集し当該アドレスに対応付けて親機メモリに記憶することにより、グループ識別子に負荷回路を対応付けるグループ情報テーブルを親機メモリに構築するグループ構築手段とを有することを特徴とする。
【００１３】
この構成によれば、子機端末が、負荷回路ごとにグループ識別子を設定するグループ設定手段を有し、且つ親機端末が、グループ設定手段で設定されたグループ識別子を子機メモリ内のアドレスと共に子機端末から収集し当該アドレスに対応付けて親機メモリに記憶することにより、グループ識別子に負荷回路を対応付けるグループ情報テーブルを構築するグループ構築手段を有するので、ユーザは子機端末のグループ設定手段によって負荷回路ごとに対応させるグループ識別子を設定するだけでグループの設定を行うことができる。そのため、ユーザは専用の設定端末を用いて各グループ識別子にアドレスを対応付けることによりグループの設定を行う従来構成のように、子機端末とアドレスとの対応関係を把握する必要がなく、したがって、子機端末のアドレスが親機端末のアドレス設定手段で自動的に割り当てられる構成を採用しながらもグループの設定が容易になる。なお、１台の子機端末に複数の負荷が接続される場合には、各負荷で個別の負荷回路を構成してもよく、この構成では負荷ごとに個別のアドレスが設定される。一方、複数の負荷で１つの負荷回路を構成してもよく、この構成では複数の負荷に１つのアドレスが設定される。
【００１４】
請求項２の発明は、請求項１の発明において、同一のシーン識別子に対応付けられる前記グループ識別子ごとの前記負荷の制御状態の組み合わせを同一のシーンとしシーン識別子を指定することにより当該シーン識別子に対応付けられた制御状態の組み合わせに従って負荷を制御するシーン制御が可能な負荷制御システムであって、前記親機端末が、任意のタイミングでグループ識別子ごとの負荷の制御状態の組み合わせを前記子機端末から収集しシーン識別子に対応付けて親機メモリに記憶することにより、シーン識別子に負荷の制御状態の組み合わせを対応付けるシーン情報テーブルを親機メモリに構築するシーン構築手段を有することを特徴とする。
【００１５】
この構成によれば、親機端末が、任意のタイミングでグループ識別子ごとの負荷の制御状態の組み合わせを子機端末から収集しシーン識別子に対応付けて親機メモリに記憶することにより、シーン識別子に負荷の制御状態の組み合わせを対応付けるシーン情報テーブルを構築するシーン構築手段を有するので、ユーザはグループ制御を行った状態でシーン構築手段を動作させるだけでシーン情報テーブルを容易に構築することができる。そのため、ユーザは専用の設定端末を用いて各グループ番号に制御状態を対応付けることによりシーンの設定を行う従来構成のように、子機端末とアドレスとの対応関係を把握する必要がなく、したがって、子機端末のアドレスが親機端末のアドレス設定手段で自動的に割り当てられる構成を採用しながらもシーンの設定が容易になる。
【００１６】
請求項３の発明は、請求項２の発明において、前記子機端末が、自己の前記負荷制御部で制御可能な前記負荷回路に対応する前記グループ識別子について前記シーン識別子ごとの制御状態をシーン情報として前記子機メモリに記憶しており、前記親機端末が、子機端末が入れ替えられた場合に、少なくとも入れ替わった子機端末に対して当該子機端末の負荷制御部で制御可能な負荷回路に対応するグループ識別子についてのシーン情報を通知することによりシーン情報を子機メモリに記憶させるシーン更新手段を有することを特徴とする。
【００１７】
この構成によれば、子機端末が故障し別の子機端末に入れ替えた際に、入れ替え後の子機端末に親機端末のアドレス設定手段でアドレスが改めて設定されても、入れ替え後の子機端末の子機メモリには入れ替え前と同一のシーン情報がシーン更新手段によって設定されるので、子機端末の入れ替え後にシーンを設定しなおす必要が無い。したがって、子機端末を入れ替えただけであれば、新規の負荷制御システムを構築する場合よりもさらに簡単にシーンの設定を行うことができる。
【００１８】
請求項４の発明は、請求項３の発明において、前記シーン更新手段が、前記子機端末のうち入れ替わった子機端末に対してのみ前記シーン情報を通知することを特徴とする。
【００１９】
この構成によれば、シーン情報が入れ替わった子機端末にのみ通知されるので、全ての子機端末にシーン情報が通知される場合に比べて、子機端末を入れ替えてからシーンの設定が完了するまでの所要時間が短くなる。
【００２０】
請求項５の発明は、請求項１ないし請求項４のいずれかの発明において、前記アドレス設定手段が、前記子機端末ごとに実装されている部品に固有の識別符号を子機端末から取得し、当該識別符号に基づいて前記アドレスを割り当てることを特徴とする。
【００２１】
この構成によれば、アドレス設定手段が、子機端末ごとに実装されている部品に固有の識別符号を利用してアドレスを設定するので、アドレスを設定するための特別な識別子を子機端末に付与する必要がない。
【００２２】
請求項６の発明は、請求項１ないし請求項５のいずれかの発明において、前記子機端末が複数台設けられており、前記グループ構築手段で前記グループ識別子が収集される際に当該グループ識別子を含むグループ登録要求信号を信号線上に送出し、且つ、他の子機端末からのグループ登録要求信号内のグループ識別子と自己の前記負荷制御部で制御可能な前記負荷回路に対応するグループ識別子とが一致するとグループ識別子が一致する旨を通知するグループ通知部を有することを特徴とする。
【００２３】
この構成によれば、各子機端末が、他の子機端末からのグループ登録要求信号内のグループ識別子と自己の負荷制御部で制御可能な負荷回路に対応するグループ識別子とが一致するとその旨を通知するグループ通知部を有するので、ユーザは、グループを設定する際に、設定対象の子機端末と同一グループの負荷回路が属する子機端末をグループ通知部によって確認することができる。その結果、同一のグループに属する負荷回路の存在を確認しながらグループの設定を行うことができ、グループの設定をより簡便に行うことができる。
【００２４】
請求項７の発明は、請求項１ないし請求項６のいずれかの発明において、前記親機端末が、前記グループ情報テーブルに記憶されている前記グループ識別子を表示する既存グループ表示部を有することを特徴とする。
【００２５】
この構成によれば、グループ情報テーブルを既存グループ表示部に表示させることにより、既に使用されているグループ識別子をユーザに通知することができる。したがって、ユーザは、親機端末の既存グループ表示部で使用済みのグループ識別子を確認しながらグループの設定を行うことができ、グループの設定がより簡便になる。
【発明の効果】
【００２６】
本発明は、子機端末が、負荷回路ごとにグループ識別子を設定するグループ設定手段を有し、且つ親機端末が、グループ設定手段で設定されたグループ識別子を子機メモリ内のアドレスと共に子機端末から収集し当該アドレスに対応付けて親機メモリに記憶することにより、グループ識別子に負荷回路を対応付けるグループ情報テーブルを構築するグループ構築手段を有するので、ユーザは子機端末のグループ設定手段によって負荷回路ごとに対応させるグループ識別子を設定するだけでグループの設定を行うことができる。そのため、ユーザはグループの設定に際して子機端末とアドレスとの対応関係を把握する必要がなく、したがって、子機端末のアドレスが自動的に割り当てられる構成を採用しながらもグループの設定が容易になる。
【発明を実施するための最良の形態】
【００２７】
以下の各実施形態では、白熱灯などの照明負荷の制御を行う負荷制御システム（照明制御システム）を例示するが、照明負荷以外の負荷の制御を行う負荷制御システムに本発明を適用することもできる。
【００２８】
（実施形態１）
本実施形態の負荷制御システムは、図１に示すように、それぞれ照明負荷を制御する複数台の子機端末Ｂ１，Ｂ２，…と、各子機端末Ｂ１，Ｂ２，…にアドレスを割り当てる１台の親機端末Ａとを共通の信号線Ｃにバス接続した構成を有する。以下、子機端末Ｂ１，Ｂ２，…を特に区別しない場合には子機端末Ｂともいう。
【００２９】
各子機端末Ｂは、不揮発性メモリからなり負荷回路ごとに設定されたアドレスを記憶する子機メモリ１と、照明負荷Ｌを制御するようにユーザによって操作される操作入力部２と、照明負荷Ｌが接続されており操作入力部２の操作に従って照明負荷Ｌを制御する負荷制御部３と、信号線Ｃに接続されており他の子機端末Ｂおよび親機端末Ａとの通信が可能な通信部４と、ロータリーディップスイッチからなり後述のグループ番号を設定するグループ設定手段５と、子機メモリ１の読書が可能なＣＰＵ６とを備える。本実施形態の負荷制御部３は、照明負荷Ｌの明るさを調光値として指定された明るさに調節する調光制御が可能に構成されている。調光値は、絶対値であってもよいし、現時点よりも明るくあるいは暗くさせるだけの相対的な値であってもよいが、ここでは、消灯に相当する０から全点灯に相当する１００までの範囲で表される調光値を採用する。
【００３０】
ここにおいて、子機端末Ｂ同士は子機メモリ１に記憶されたアドレスによって互いに対応付けられる。そして、操作入力部２の操作に従って子機端末Ｂから信号線Ｃ上に送信元アドレス（自己のアドレス）と送信先アドレス（対応する子機端末Ｂのアドレス）と制御状態（照明負荷Ｌの調光値）とを含む通信フレームが送出されると、送信先アドレスに指定された子機端末Ｂは、通信フレームに含まれる制御状態に従って照明負荷Ｌの制御を行う。これより、照明負荷Ｌが接続されている子機端末Ｂの操作、あるいはこの子機端末Ｂに対応付けられた子機端末Ｂの操作に従ってこの照明負荷Ｌが制御される。なお、負荷制御部３のない子機端末Ｂが信号線Ｃに接続されていてもよい。
【００３１】
本実施形態では、各子機端末Ｂに対してそれぞれ照明負荷Ｌを複数ずつ接続し、各照明負荷Ｌでそれぞれ個別に制御可能な負荷回路を構成している。そのため、子機端末Ｂごとに設定される端末アドレス（Ａｄ１，Ａｄ２，…）を指定するだけでは、当該子機端末Ｂに接続された照明負荷Ｌが全て指定されることとなり、１台の照明負荷Ｌを特定することはできない。そこで、各子機端末Ｂにおいてはそれぞれ照明負荷Ｌごとに負荷番号（Ｌ１，Ｌ２，…）を割り振り、各子機端末Ｂの端末アドレスの後に負荷番号を付加したものを負荷回路のアドレスとして用いることによって、制御する照明負荷Ｌを特定できるようにしてある。したがって、子機メモリ１には複数のアドレスが記憶されることになる。なお、１台の子機端末Ｂに接続される複数の照明負荷Ｌで１つの負荷回路を構成してもよく、この場合には各子機端末Ｂの端末アドレスが負荷回路のアドレスとして用いられる。
【００３２】
一方、親機端末Ａは、子機端末Ｂにアドレスを割り当てるアドレス設定手段７を有したＣＰＵ８と、アドレスを記憶する親機メモリ９と、信号線Ｃに接続されており子機端末Ｂの通信部４との通信が可能な通信部１０と、ユーザによって操作される操作入力部１１と、後述のシーンの設定を行う際に操作されるシーン登録スイッチ１２とを備える。ここで、親機端末Ａのアドレス（親機アドレス）は予め決められており、子機端末Ｂの通信部４は、何ら設定を行わなくとも親機端末Ａのアドレスを送信先に指定して親機端末Ａの通信部１０に信号を伝送することができる。
【００３３】
親機端末Ａのアドレス設定手段７は、各子機端末Ｂのアドレスを自動的に割り当てる構成を採用している。すなわち、子機端末Ｂは、予め設定されている装置アドレスを電源投入時に親機端末Ａに送信し、親機端末Ａは、装置アドレスを受信すると、当該装置アドレスを持つ子機端末Ｂに対して端末アドレスを通知することにより端末アドレスを割り当て、当該子機端末Ｂは受信した端末アドレスに負荷番号を付加したアドレスを子機メモリ１に記憶する。子機端末Ｂに予め設定されている装置アドレスは、ここでは、たとえばフラッシュメモリ等の部品の製造番号のように、ハードウェアに固有のＭＡＣアドレスに類似する識別符号であるが、ＥＥＰＲＯＭ等に予め登録された番号等であってもよい。なお、アドレス設定手段７は、子機端末Ｂからの装置アドレスを受けなくとも、子機端末Ｂに対して親機端末Ａと通信可能な状態となった順に端末アドレスを自動的に送信し、子機メモリ１にアドレスを記憶させる構成であってもよい。
【００３４】
ところで、本実施形態の負荷制御システムは、親機端末Ａと子機端末Ｂとの間で通信を行うことにより、複数ずつにグループ分けされた照明負荷Ｌをグループ単位で一括して制御するグループ制御が可能に構成されている。そのための構成として、親機メモリ９には、複数の照明負荷Ｌの組み合わせを子機メモリ１内のアドレスによりそれぞれ所望のグループ番号（グループ識別子）に対応付けて記憶したグループ情報テーブルが構築され、親機端末Ａは、グループ情報テーブルで同一のグループ番号に対応付けられた照明負荷Ｌを同一のグループとして負荷制御部３にグループ制御を行わせるグループ制御手段１３としての機能をＣＰＵ８に備えている。
【００３５】
ここで、グループを設定するための構成として、子機端末Ｂには、グループ番号（Ｇ１，Ｇ２，…）を設定するグループ設定手段５が設けられ、親機端末ＡのＣＰＵ８には、グループ情報テーブルを構築するグループ構築手段１４としての機能が付与されている。
【００３６】
すなわち、グループ番号は子機端末Ｂのグループ設定手段５によって負荷回路ごとに手動で設定され、これにより照明負荷Ｌごとにグループ番号が設定される。なお、子機端末Ｂ単位で照明負荷Ｌを制御する負荷制御システムにおいては、グループ番号は子機端末Ｂごとに設定されることになる。本実施形態では、子機メモリ１にアドレスが登録される前であってもグループ番号を設定できるように、グループ設定手段５は、予め定められた負荷番号ごとにグループ番号を設定可能に構成されている。ここで、グループ設定手段５にリモコン受光部を設け、子機端末Ｂと離れた位置からでもワイヤレスリモコンによってグループ番号を設定できる構成としてもよい。
【００３７】
そして、親機端末Ａのグループ構築手段１４は、グループ設定手段５で設定されたグループ番号を子機メモリ１内のアドレスと共に子機端末Ｂから収集し、両者を対応付けて親機メモリ９に記憶することによりグループ情報テーブルを構築する。
【００３８】
また、本実施形態の負荷制御システムは、親機端末Ａと子機端末Ｂとの間で通信を行うことにより、負荷制御システムに接続された全ての照明負荷Ｌについてグループごとに予め設定された調光値（制御状態）に一斉に制御するシーン制御が可能に構成されている。そのための構成として、親機メモリ９にはグループ番号ごとの照明負荷Ｌの調光値の組み合わせをそれぞれシーン識別子としての所望のシーン番号（シーン識別子）に対応付けて記憶したシーン情報テーブルが構築され、親機端末Ａは、シーン番号を指定することによりシーン情報テーブルで当該シーン番号に対応付けられた調光値の組み合わせに従って負荷制御部３にシーン制御を行わせるシーン制御手段１５としての機能をＣＰＵ８に備えている。
【００３９】
ここで、シーンを設定するための構成として、親機端末ＡのＣＰＵ８には、シーン情報テーブルを構築するシーン構築手段１６としての機能が付与されている。
【００４０】
すなわち、シーン構築手段１６は、任意のタイミングでグループ番号ごとの照明負荷Ｌの調光値の組み合わせを子機端末Ｂから収集し、シーン番号（Ｓ１，Ｓ２，…）に対応付けて親機メモリ９に記憶することによりシーン情報テーブルを構築する。本実施形態のシーン構築手段１６は、親機端末Ａのシーン登録スイッチ１２が操作されたタイミングで調光値の組み合わせを収集する。したがって、照明負荷Ｌについてグループ制御を行った状態で親機端末Ａのシーン登録スイッチ１２を操作するだけで、その時点でのグループごとの調光値の組み合わせが、シーン制御時に用いる調光値の組み合わせとして親機端末Ａの親機メモリ９に記憶されることになる。
【００４１】
以下に、本実施形態の負荷制御システムにおける子機端末Ｂ、親機端末Ａの各種動作を説明する。
【００４２】
まず、子機端末Ｂ１のアドレス設定を行う際の子機端末Ｂ、親機端末Ａの動作について説明する。
【００４３】
電源が投入されて起動した子機端末Ｂ１は、装置アドレスとしての製造番号を含むアドレス要求信号を図２に示すように親機端末Ａに送信する。このとき、アドレス要求信号は、信号線Ｃに接続されている不特定多数の相手（子機端末Ｂ・親機端末Ａ）に向けて送信されるブロードキャストで送出されるが、子機端末Ｂにおいては無視される。
【００４４】
親機端末Ａは、アドレス要求信号を受けると、これに含まれる製造番号を親機メモリ９に登録するとともに、当該製造番号に対して既に登録済みの子機端末Ｂと重複しないように端末アドレスの対応付けを行う。ただし、新規の端末アドレスを割り当てるのは製造番号が未登録の場合のみであって、製造番号が既に登録済みの場合には既に割り当てた端末アドレスを再度割り当てる。これにより、子機端末Ｂの電源が一旦落ちて再起動することがあっても、１台の子機端末Ｂに複数の端末アドレスが付与されることはない。そして、親機端末Ａは、登録した製造番号に割り当てた端末アドレスＡｄ１を含むアドレス登録信号を、当該製造番号を持つ子機端末Ｂ１に送信する。このとき、アドレス登録信号は、ブロードキャストで信号線Ｃ上に送出されるが、製造番号が異なる他の子機端末Ｂにおいては無視される。
【００４５】
子機端末Ｂ１は、アドレス登録信号を受信すると、これに含まれる端末アドレスＡｄ１を自己の端末アドレスとして子機メモリ１に登録し、以降の通信には当該端末アドレスＡｄ１を使用する。そして、予め定められている負荷番号Ｌ１，Ｌ２を端末アドレスＡｄ１に付加したものをアドレスとして子機メモリ１に記憶する。その後、他の子機端末Ｂにおいても、上述の子機端末Ｂ１と同様に親機端末Ａとの通信を行うことによってそれぞれ端末アドレスＡｄ２，Ａｄ３，…が割り当てられる。
【００４６】
次に、グループ設定を行う際の子機端末Ｂ、親機端末Ａの動作について説明する。
【００４７】
子機端末Ｂは、一括して制御する照明負荷Ｌのグループ番号が同一になるように、たとえば電源が投入される前に予め、ユーザによってグループ設定手段５で負荷番号ごとにグループ番号の割り当てが行われる。そして、上述のように端末アドレスＡｄ１を取得した子機端末Ｂ１は、グループ番号Ｇ２，Ｇ１と当該グループ番号が対応付けられた負荷番号Ｌ１，Ｌ２との組み合わせを含むグループ登録要求信号を図３に示すように親機端末Ａに送信する。ただし、照明負荷Ｌが接続されていない子機端末Ｂにおいては照明負荷Ｌが接続されていないことを表す番号（たとえばＬ０）を負荷番号として、グループ登録要求信号を送信する。このとき、グループ登録要求信号は送信元アドレスを自己（子機端末）の端末アドレスＡｄ１とし、送信先アドレスを親機端末Ａのアドレスとしてユニキャストで送出される。
【００４８】
一方、グループ登録要求信号を受信した親機端末Ａは、送信元である子機端末Ｂ１の製造番号と端末アドレスＡｄ１との組み合わせに、グループ番号Ｇ２，Ｇ１と負荷番号Ｌ１，Ｌ２との組み合わせを対応付けて、図４に示すグループ情報テーブルを親機メモリ９内に構築する。これにより、グループ情報テーブルにおいては、グループ番号Ｇ２，Ｇ１が負荷回路のアドレス（端末アドレスＡｄ１＋負荷番号Ｌ１，Ｌ２）に対応付けて記憶される。そして、親機端末Ａはグループ登録要求信号の送信元の子機端末Ｂ１に対して、登録したグループ番号Ｇ２，Ｇ１を含むグループ登録許可信号をユニキャストで返信する。グループ登録許可信号を受信した子機端末Ｂ１は、グループ登録許可信号内のグループ番号Ｇ２，Ｇ１が送信したグループ登録要求信号のグループ番号Ｇ２，Ｇ１と一致していることを確認し、図５に示すように自己に関係する製造番号についてのみ、グループ番号Ｇ２，Ｇ１とアドレスとの対応関係を表すグループ情報を子機メモリ１内に構築する。ここで、グループ登録許可信号のグループ番号とグループ登録要求信号のグループ番号とが一致していなければ、再度グループ登録要求信号を送信する。その後、他の子機端末Ｂ２，Ｂ３，…においても上述の子機端末Ｂ１と同様にグループ番号が設定される。
【００４９】
次に、グループ制御を行う際の子機端末Ｂ、親機端末Ａの動作について図６を参照して説明する。
【００５０】
グループ制御は、子機端末Ｂの操作入力部２で所定の操作を行うことにより実行される。ここでは、グループ制御を行う際に操作されるグループ制御スイッチ（図示せず）が操作入力部２に設けられており、グループ制御スイッチにおいてグループ番号と調光値（制御状態）とを指定できる構成とした例を示す。子機端末Ｂ１は、グループ制御スイッチが操作されると、指定されたグループ番号と調光値とを含むグループ操作信号を、送信元アドレスを自己のアドレスＡｄ１とし、送信先アドレスを親機端末Ａのアドレスとしてユニキャストで送信する。
【００５１】
グループ操作信号を受信した親機端末Ａは、グループ操作信号内のグループ番号と調光値とを含むグループ制御信号をブロードキャストで送出する。グループ制御信号は全ての子機端末Ｂで受信され、グループ制御信号を受信した子機端末Ｂは、子機メモリ１内のグループ情報を参照してグループ制御信号内のグループ番号が登録されているか否かを判断する。ここで、該当するグループ番号が無ければグループ制御信号内の調光値を無視し、該当するグループ番号があれば、子機端末Ｂはグループ制御信号内の調光値に従って当該グループ番号に対応する照明負荷Ｌを調光制御する。そして、照明負荷Ｌの制御が完了すると、その時点での照明負荷Ｌの調光値（制御状態）と当該照明負荷Ｌの負荷番号とを含む負荷応答信号を親機端末Ａに送信する。負荷応答信号は、送信元アドレスを自己（子機端末Ｂ）のアドレスとし、送信先アドレスを親機端末Ａのアドレスとしてユニキャストで送信される。
【００５２】
負荷応答信号を受信した親機端末Ａは、送信したグループ制御信号内の調光値と受信した負荷応答信号内の調光値とを照合する。ここで、グループ制御信号内のグループ番号に属する全ての照明負荷Ｌについて、グループ制御信号と負荷応答信号とで調光値が一致していれば、親機端末Ａは、照明負荷Ｌが正常に制御されたものと判断しグループ制御を完了する。一方、グループ制御信号内のグループ番号に属する照明負荷Ｌのうち１台でも負荷応答信号が所定期間内に返信されない場合や、負荷応答信号に通信エラーが発生している場合や、グループ制御信号と負荷応答信号とで調光値が一致しない場合には、親機端末Ａは照明負荷Ｌが正常に制御されなかったものと判断し、再度グループ制御信号を送信する。このとき、グループ制御信号は、ブロードキャストパケットとして送出されてもよいし、正常に制御できなかった子機端末Ｂ宛のユニキャストパケットとして送出されてもよい。
【００５３】
次に、シーン設定を行う際の子機端末Ｂ、親機端末Ａの動作について説明する。
【００５４】
親機端末Ａは、グループ制御を行っている状態でシーン登録スイッチ１２が操作されると、図７に示すようにシーン登録開始信号をブロードキャストで送出する。シーン登録開始信号を受信した子機端末Ｂは、その時点における接続されている照明負荷Ｌの調光値をグループ番号ごとに確認し、グループ番号ごとの調光値の組み合わせを含むシーン登録信号を親機端末Ａにユニキャストで送信する。なお、照明負荷Ｌの接続されていない子機端末Ｂにおいてはシーン登録開始信号は無視される。
【００５５】
シーン登録信号を受信した親機端末Ａは、シーン登録信号内のグループ番号と調光値との組み合わせを、予め定められているシーン番号に対応付けて親機メモリ９に記憶する。そのため、照明負荷Ｌが接続された子機端末Ｂの全てからシーン登録信号を親機端末Ａが受信した時点で、図８に示すようにシーン番号にグループ番号ごとの調光値の組み合わせを対応付けたシーン情報テーブルが親機メモリ９内に構築されることとなる。なお、子機端末Ｂは、親機端末Ａからのシーン登録開始信号を受信した時点で、図９に示すように自己に関係するグループ番号（ここでは、グループ番号Ｇ１，Ｇ２）についてのみ、シーン番号と調光値との対応関係を示すシーン情報を子機メモリ１内に構築する。
【００５６】
次に、シーン制御を行う際の子機端末Ｂ、親機端末Ａの動作について図１０を参照して説明する。
【００５７】
シーン制御は、親機端末Ａの操作入力部１１で所定の操作を行うことにより実行される。ここでは、シーン制御を行う際に操作されるシーン制御スイッチ（図示せず）が操作入力部１１に設けられており、シーン制御スイッチにおいてシーン番号を指定できる構成とした例を示す。親機端末Ａは、シーン制御スイッチが操作されシーン番号が指定されると、このシーン番号を含むシーン制御信号をブロードキャストで送出する。
【００５８】
シーン制御信号は全ての子機端末Ｂで受信され、シーン制御信号を受信した子機端末Ｂは、子機メモリ１内のシーン情報を参照してシーン制御信号内のシーン番号が登録されているか否かを判断する。ここで、該当するシーン番号が無ければ照明負荷Ｌの制御は行わず、該当するシーン番号があれば、子機端末Ｂはそのシーン番号に対応付けられたシーン情報内の調光値に従って該当するグループ番号の照明負荷Ｌを調光制御する。そして、照明負荷Ｌの制御が完了すると、その時点での照明負荷Ｌの調光値（制御状態）と当該照明負荷Ｌの負荷番号とを含む負荷応答信号を親機端末Ａに送信する。負荷応答信号は、送信元アドレスを自己（子機端末Ｂ）のアドレスとし、送信先アドレスを親機端末Ａのアドレスとしてユニキャストで送信される。
【００５９】
負荷応答信号を受信した親機端末Ａは、シーン情報テーブルにおいて送信したシーン制御信号内のシーン番号に対応する調光値と受信した負荷応答信号内の調光値とを照合する。ここで、シーン制御信号内のシーン番号に対応したグループ番号に属する全ての照明負荷Ｌについて、シーン情報テーブルと負荷応答信号とで調光値が一致していれば、親機端末Ａは、照明負荷Ｌが正常に制御されたものと判断しシーン制御を完了する。一方、シーン制御信号内のシーン番号に対応したグループ番号に属する照明負荷Ｌのうち１台でも負荷応答信号が所定期間内に返信されない場合や、負荷応答信号に通信エラーが発生している場合や、シーン情報テーブルと負荷応答信号とで調光値が一致しない場合には、親機端末Ａは照明負荷Ｌが正常に制御されなかったものと判断し、再度シーン制御信号を送信する。このとき、シーン制御信号は、ブロードキャストパケットとして送出されてもよいし、制御対象とする特定の子機端末Ｂ宛のユニキャストパケットとして送出されてもよい。
【００６０】
本実施形態の負荷制御システムによれば、上述のように、ユーザは子機端末Ｂに付与されたアドレスに関係なく負荷回路ごとにグループの設定を行うことができるから、グループやシーンの設定のために子機端末Ｂとアドレスとの対応関係を把握する必要はない。そのため、子機端末Ｂのアドレスを親機端末Ａで自動的に割り当てるようにしながらも、従来構成のようにグループやシーンの設定が困難になることはない。また、従来構成に比較すると、グループやシーンの設定に専用の設定端末が不要になるという利点もある。
【００６１】
以下、図１１（ａ）に示すように、１台の親機端末Ａと３台の子機端末Ｂ１，Ｂ２，Ｂ３とが信号線Ｃで接続されている負荷制御システムにおいて、図１１（ｂ）に示すような、グループ情報テーブルおよびシーン情報テーブルが構築された例を示す。この例では、各子機端末Ｂには照明負荷Ｌがそれぞれ１台ずつ接続されており、そのため、グループ番号は各子機端末Ｂにそれぞれ１つずつ設定される。なお、図１１（ｂ）では、親機端末Ａに記憶されているシーン情報テーブル、グループ情報テーブルを「親機端末」の欄に示し、子機端末Ｂ１，Ｂ２，Ｂ３に記憶されているシーン情報、グループ情報をそれぞれ「子機端末Ｂ１」，「子機端末Ｂ２」，「子機端末Ｂ３」の欄に示す。
【００６２】
ここでは、１台の子機端末Ｂ１が故障したため、当該故障した子機端末Ｂ１を図１２（ａ）のように新規の子機端末Ｂ４に入れ替える場合について説明する。
【００６３】
この場合にユーザが手動で設定しなければならない事項は、新規の子機端末Ｂ４のグループ番号を、故障した子機端末Ｂ１で設定していたグループ番号Ｇ２にグループ設定手段５で設定することのみである。
【００６４】
グループ設定手段５でグループ番号が設定された後に電源が投入された新規の子機端末Ｂ４は、親機端末Ａから新規の端末アドレスＡｄ４が自動的に割り振られる。このとき、負荷制御システム全体の電源を一旦落として再投入するようにしても、製造番号が既に登録済みの既設の子機端末Ｂ２，Ｂ３に関しては、最初の電源投入時に割り当てられた端末アドレスＡｄ２，Ａｄ３が再度割り当てられるので、端末アドレスが変更されることはない。そして、端末アドレスＡｄ４を取得した子機端末Ｂ４は、グループ登録要求信号を親機端末Ａに送信し、親機端末Ａからグループ登録許可信号が返信される。この時点で、親機端末Ａおよび子機端末Ｂには図１２（ｂ）に示すようなグループ情報テーブル、シーン情報テーブル、グループ情報、シーン情報がそれぞれ構築されるが、新規の子機端末Ｂ４のシーン情報に関しては調光値が空欄である。
【００６５】
ここにおいて、親機端末Ａは、新規の端末アドレスＡｄ４を割り当てた子機端末Ｂ４のグループ番号Ｇ２が既にシーン情報テーブルに登録されている場合に、このグループ番号Ｇ２および調光値の組み合わせと、これに対応するシーン番号Ｓ１，Ｓ２とを含むシーン登録要求信号を図１３に示すように子機端末Ｂ４にユニキャストで送信するシーン更新手段１７（図１参照）としての機能をＣＰＵ８に有する。シーン登録要求信号を受信した子機端末Ｂ４は、シーン登録要求信号内の調光値とシーン番号との対応関係に基づいて、シーン番号ごとの調光値をシーン情報に登録する。
【００６６】
子機端末Ｂ４はシーン情報への調光値の登録が完了すれば、シーン登録完了信号を親機端末Ａにユニキャストで返信する。なお、図１３に示す例では、シーン番号Ｓ１，Ｓ２ごとにシーン登録要求信号を分けて伝送しているので、シーン登録完了信号も２度に分けて伝送される。
【００６７】
上述の処理によって、新規の子機端末Ｂ４においても、図１４に示すようにシーン情報が構築される。なお、本実施形態の親機端末Ａは、特定の子機端末Ｂから所定の期間に亘って一切の応答がない場合に、この子機端末Ｂに関する情報をグループ情報テーブルおよびシーン情報テーブルから削除する構成を採用しており、これにより子機端末Ｂ１に関する情報は親機端末Ａのグループ情報テーブルから削除される。
【００６８】
本実施形態の負荷制御システムによれば、上述したように子機端末Ｂの入れ替えが行われた場合に、ユーザが新規の子機端末Ｂ４のグループ番号Ｇ２を設定するだけでシーンの設定まで自動的に行われるので、子機端末Ｂの入れ替え後にシーン設定を改めて行う場合に比べると、シーンの再設定の手間が省けるという利点がある。しかも、親機端末Ａは入れ替えられた新規の子機端末Ｂ４にのみシーン登録要求信号を送信しており、他の子機端末Ｂ２，Ｂ３には送信しないので、全ての子機端末Ｂにシーン登録要求信号を送信する場合に比べて通信に要する時間が短くなる。
【００６９】
また、本実施形態では、１台の子機端末Ｂについて入れ替えを行う例を示したが、複数台の子機端末Ｂについて入れ替えが行われる場合にも、各子機端末Ｂについて本実施形態と同様の処理が行われることによってシーン情報が再構築される。
【００７０】
（実施形態２）
本実施形態の負荷制御システムは、図１５に示すようにグループ構築手段１４でグループ番号が収集される際にグループ登録要求信号をブロードキャストするように子機端末Ｂが構成されている点と、子機端末Ｂに、他の子機端末Ｂからのグループ登録要求信号に含まれるグループ番号が自己の有するグループ番号に一致するとその旨を通知するグループ通知部（図示せず）をそれぞれ設けた点とが実施形態１の負荷制御システムとは相違する。その他の構成および機能は実施形態１と同様である。
【００７１】
すなわち、本実施形態の子機端末Ｂは、他の子機端末Ｂでグループ番号が新規設定あるいは変更される度にこの子機端末Ｂからのグループ登録要求信号を受信し、このグループ登録要求信号内のグループ番号が自己の有するグループ番号に一致するか否かをＣＰＵ６によって判断する。グループ通知部は、各負荷回路にそれぞれ対応したＬＥＤ表示部（図示せず）を有しており、グループ登録要求信号内のグループ番号と一致するグループ番号が割り当てられた負荷回路があれば、この負荷回路に対応するＬＥＤ表示部を所定の通知時間だけ点灯させる。なお、ＬＥＤ表示部は子機端末Ｂを設置した状態で視認可能な位置に設けられている。
【００７２】
上述の構成によれば、ユーザは、グループの設定を行う際に、グループ番号を設定する負荷回路と同一のグループ番号を既に有する負荷回路を、ＬＥＤ表示部の点灯状態によって容易に確認することができる。その結果、どの負荷回路（子機端末Ｂ）に同じグループ番号が割り当てられているのかを確認しながらグループ番号の設定を行うことができ、グループ番号の設定をより簡便に行うことが可能となる。
【００７３】
（実施形態３）
本実施形態の負荷制御システムは、液晶表示部（図示せず）を有し親機メモリ９内のグループ情報テーブルやシーン情報テーブルを表示する既存グループ表示部（図示せず）を親機端末Ａに設けた点が実施形態１の負荷制御システムとは相違する。その他の構成および機能は実施形態１と同様である。
【００７４】
本実施形態の構成によれば、図１１（ｂ）に示したようなグループ情報テーブルを既存グループ表示部の液晶表示部に表示させることにより、既に使用（設定）されているグループ番号をユーザに通知することができる。したがって、ユーザは、親機端末Ａの既存グループ表示部で使用済みのグループ番号を確認しながらグループ番号の設定を行うことができ、グループ番号の設定がより簡便になるという利点がある。
【図面の簡単な説明】
【００７５】
【図１】本発明の実施形態１の構成を示すブロック図である。
【図２】同上のアドレス設定動作を示すシーケンス図である。
【図３】同上のグループ設定動作を示すシーケンス図である。
【図４】同上のグループ情報テーブルを示す説明図である。
【図５】同上のグループ情報を示す説明図である。
【図６】同上のグループ制御動作を示すシーケンス図である。
【図７】同上のシーン設定動作を示すシーケンス図である。
【図８】同上のシーン情報テーブルを示す説明図である。
【図９】同上のシーン情報を示す説明図である。
【図１０】同上のシーン制御動作を示すシーケンス図である。
【図１１】（ａ）同上の負荷制御システムの一例を示すシステム構成図、（ｂ）同上のグループ情報テーブル・シーン情報テーブルの説明図である。
【図１２】（ａ）同上の負荷制御システムの一例を示すシステム構成図、（ｂ）同上のグループ情報テーブル・シーン情報テーブルの説明図である。
【図１３】同上のシーン設定動作を示すシーケンス図である。
【図１４】（ａ）同上の負荷制御システムの一例を示すシステム構成図、（ｂ）同上のグループ情報テーブル・シーン情報テーブルの説明図である。
【図１５】本発明の実施形態２のグループ設定動作を示すシーケンス図である。
【図１６】従来例を示すシステム構成図である。
【符号の説明】
【００７６】
１  子機メモリ
３  負荷制御部
４  通信部
５  グループ設定手段
７  アドレス設定手段
９  親機メモリ
１０  通信部
１４  グループ構築手段
１６  シーン構築手段
１７  シーン更新手段
Ａ  親機端末
Ｂ  子機端末
Ｃ  信号線
Ｌ  照明負荷
【図１】
2008109514.tif 000003
【図２】
2008109514.tif 000004
【図３】
2008109514.tif 000005
【図４】
2008109514.tif 000006
【図５】
2008109514.tif 000007
【図６】
2008109514.tif 000008
【図７】
2008109514.tif 000009
【図８】
2008109514.tif 000010
【図９】
2008109514.tif 000011
【図１０】
2008109514.tif 000012
【図１１】
2008109514.tif 000013
【図１２】
2008109514.tif 000014
【図１３】
2008109514.tif 000015
【図１４】
2008109514.tif 000016
【図１５】
2008109514.tif 000017
【図１６】
2008109514.tif 000018